(57)【要約】【課題】装飾的美観や高級感を長期間にわたって安定的に提供することのできる装飾品用駒を提供する。【解決手段】両側端に設けられて駒の上面の一部分を構成する大略コ字状の立ち上がり部１４と、上駒３０の滑動を規制する第一係止部２０と、を有する下駒１０と、立ち上がり部１４に沿って滑動する大略L字状の突出部３４と、ヒンジ部材５０の動きを規制する第二係止部４０と、を有する上駒３０と、第二係止部４０に係合する切欠部４４と、前端ピン孔５６と、後端ピン孔６０と、を有する大略M字状であり、上駒３０と下駒１０とを一体化した駒組合せ体１の隙間に配置されるヒンジ部材５０と、前端ピン孔５６又は後端ピン孔６０に挿通される連結ピン９と、を備えて、組立てられた駒の上面は、上駒３０の上面３８と、下駒１０の立ち上がり部１４の上面１８と、によって構成されている。【選択図】図６
2008029803.tif 000002
【特許請求の範囲】
【請求項１】
両側端に設けられて駒の上面の一部分を構成する大略コ字状の立ち上がり部と、上駒の滑動を規制する第一係止部と、を有する下駒と、
前記立ち上がり部に沿って滑動する大略L字状の突出部と、ヒンジ部材の動きを規制する第二係止部と、を有する上駒と、
前記第二係止部に係合する切欠部と、前端ピン孔と、後端ピン孔と、を有する大略M字状であり、上駒と下駒とを一体化した駒組合せ体の隙間に配置されるヒンジ部材と、
前記前端ピン孔又は後端ピン孔に挿通される連結ピンと、を備えて、
組立てられた駒の上面は、上駒の上面と、下駒の立ち上がり部の上面と、によって構成されていることを特徴とする装飾品用駒。
【請求項２】
前記下駒及び上駒が、外観的に異質なものから構成されていることを特徴とする、請求項１記載の装飾品用駒。
【請求項３】
前記下駒及び上駒は、セラミックスからなることを特徴とする、請求項１又は２に記載の装飾品用駒。
【請求項４】
前記ヒンジ部材は、前記前端ピン孔を二つ、前記後端ピン孔を三つ、有することを特徴とする、請求項１乃至３のいずれかに記載の装飾品用駒。
【請求項５】
前記第一係止部及び第二係止部は、駒の中央部に連接して設けられていることを特徴とする、請求項１乃至４のいずれかに記載の装飾品用駒。
【請求項６】
前記ヒンジ部材は、弾性変形可能な材料からなり、上駒と下駒とを一体化した駒組合せ体の隙間に対して、わずかに湾曲していることを特徴とする、請求項１乃至５のいずれかに記載の装飾品用駒。
【請求項７】
下駒と、上駒と、前記上駒と下駒とを一体化した駒組合せ体の間に配置されるヒンジ部材と、からなる装飾品用駒であって、
前記下駒は、立ち上がり部を左右の両端に有する矩形状の板状体であり、
前記上駒は、前記下駒の前記立ち上がり部の内側に位置するように下側に突出した突出部を左右の両端に有する矩形状の板状体であり、
前記ヒンジ部材は、中央部に設けられた切欠溝、および左右の上端に設けられた上端部の少なくとも一方を有するとともに、隣接する装飾用駒同士を連結するための連結ピンが挿通される前端ピン孔および後端ピン孔が前端および後端にそれぞれ形成された板状体であり、
前記下駒に対する前記上駒の滑動を規制するために、前記下駒の前記立ち上がり部の内側面と前記上駒の前記突出部の外側面とにおいては、係止溝と該係止溝に嵌め合わされる張出し部とからなる駒係止構造が形成されており、
前記駒組合せ体に対する前記ヒンジ部材の動きを規制するために、前記下駒の上面および前記上駒の下面の少なくとも一方に設けられて前記切欠溝と係合する凸状係止部、ならびに前記上駒の前記突出部の下端の内側面に設けられて前記左右の上端部と係合する切欠部の少なくとも一方からなるヒンジ部材係止構造が形成されており、
組立てられた駒の上面は、前記上駒の上面と前記下駒の前記立ち上がり部の上面とによって構成されていることを特徴とする装飾品用駒。
【請求項８】
前記上駒は、その滑動方向と交差する方向に沿って分割された複数個の板状体要素によって構成されていることを特徴とする、請求項７記載の装飾品用駒。
【請求項９】
前記係止部は、前記上駒の板状体部分及び前記下駒の板状体部分に対して別体で装着される係止体によって構成されていることを特徴とする、請求項７記載の装飾品用駒。
【請求項１０】
組立てられた駒の前端ピン孔が、組立てられた他の駒の後端ピン孔に対して一列に嵌合して、一列に整列配置した前端ピン孔および後端ピン孔に連結ピンを挿通することによって隣り合う駒同士を連結し、駒の連結を繰り返すことによって所定長さのバンドとすることを特徴とする、請求項１乃至９のいずれかに記載の装飾品用駒を用いた装飾品。
【請求項１１】
請求項１０記載の装飾品が時計用のバンドであることを特徴とする装飾品。
【発明の詳細な説明】
【技術分野】
【０００１】
本発明は、時計やブレスレット等の装飾品に使用される駒に関する。
【背景技術】
【０００２】
時計は、時間を正確に刻むという実用的な側面を有している他に、アクセサリあるいは装飾品という側面も有している。そこで、時計用バンドにおいて、装飾的美観や高級感を醸し出すための様々な取り組みがなされている。
【０００３】
ステンレスやチタン等の金属材料や樹脂材料等を駒材料として使用することがしばしば行われている。ステンレス等の金属材料は、金属材料の種類に関係なく、一般にメタル色と言われる同じような銀色を呈しているために、色彩的な装飾性に欠けている。ＡＢＳ樹脂やポリカーボネート等の樹脂材料は、高級感が得られないために、高級な装飾品用に使用されることが少なく、また、耐摩耗性が低いために傷が付きやすいという欠点を有している。そこで、時計用バンドの駒をセラミックスで構成したり（例えば、特許文献１を参照）、生地素材の表面に被膜をコーティングしたりすることが行われている（例えば、特許文献２を参照）。
【０００４】
特許文献１に開示された時計ブレスレットにおいては、装飾要素がセラミックスで構成されているが、装飾要素がセラミックスからなる単一要素から構成されているので、装飾要素それ自身の色すなわち単色となってしまう。したがって、セラミックスの単一要素からなる時計ブレスレットから、高度な装飾的・美的な効果を得ることは困難である。
【０００５】
特許文献２に開示された腕時計用外装部品は、装飾用部材の生地表面に蒸着する薄膜の膜厚を変化させることによって、生地素材表面の色を変化させることを特徴としている。蒸着される薄膜は、金属酸化物、金属、無機化合物等の密着性のよい材料や構造を選択すると記載されているが、薄膜をコーティングするという手法においては基材からの薄膜の剥離という問題は、不可避の大問題である。また、コーティングされた薄膜の耐摩耗性が低いために、傷が付きやすいという欠点も有している。さらに、薄膜の光学的厚さの変化に起因した干渉色を利用しているので、摩耗によって薄膜の膜厚が部分的に薄くなった場合、その薄くなった部分では色調が変化してしまうために安定した色彩美が得られないという問題を有している。
【０００６】
【特許文献１】特開２００１−２５８６１７号公報
【特許文献２】特開２００１−１３７０１９号公報
【発明の開示】
【発明が解決しようとする課題】
【０００７】
したがって、本発明の解決すべき技術的課題は、装飾的美観や高級感を長期間にわたって安定的に提供することのできる装飾品用駒及び装飾品を提供することである。
【課題を解決するための手段および作用・効果】
【０００８】
上記技術的課題を解決するために、本発明によれば、
両側端に設けられて駒の上面の一部分を構成する大略コ字状の立ち上がり部と、上駒の滑動を規制する第一係止部と、を有する下駒と、
前記立ち上がり部に沿って滑動する大略L字状の突出部と、ヒンジ部材の動きを規制する第二係止部と、を有する上駒と、
前記第二係止部に係合する切欠部と、前端ピン孔と、後端ピン孔と、を有する大略M字状であり、上駒と下駒とを一体化した駒組合せ体の隙間に配置されるヒンジ部材と、
前記前端ピン孔又は後端ピン孔に挿通される連結ピンと、を備えて、
組立てられた駒の上面は、上駒の上面と、下駒の立ち上がり部の上面と、によって構成されていることを特徴とする装飾品用駒が提供される。
【０００９】
上記構成のように、駒組合せ体を下駒及び上駒という２つの要素から構成されるようにすれば、駒組合せ体の上面は、上駒の上面と、下駒の左右の立ち上がり部の上面という少なくとも２つの部品の組合せから構成することができる。すなわち、駒組合せ体の上面において、下駒と上駒との間の境界部に現れる溝や段差を装飾的要素として利用することができる。さらに、上駒及び下駒のそれら自身が駒組合せ体の上面を構成しているので、摩耗によって色調が変化することも起こらない。したがって、装飾的美観や高級感を長期間にわたって安定的に提供することができる。
【００１０】
また、本発明は、前記下駒及び上駒が、外観的に異質なものから構成されているようにすれば、駒組合せ体の上面において、上駒の上面と、下駒の左右の立ち上がり部の上面との色調が異なったものとしたり、上駒の上面と、下駒の左立ち上がり部の上面と、下駒の右立ち上がり部の上面との各色調が異なったものとすることができる。
【００１１】
下駒及び上駒の材料として、ステンレスやチタン等の金属材料も使用可能であるが、靱性や耐摩耗性が高くて着色の自由度の高いセラミックスからなることが好ましい。着色された下駒及び上駒として、例えば、酸化鉄や酸化コバルト等を着色剤として添加して焼結させたジルコニアやサーメット等のセラミックスを用いることができる。
【００１２】
ヒンジ部材は、様々な連結構造とすることができるが、例えば、前記前端ピン孔を二つ、前記後端ピン孔を三つ、有する。
【００１３】
第一係止部及び第二係止部は、駒の両端部等の様々な部位に設けることもできるが、駒の中央部に連接して設けられていることが好ましい。駒の中央部に連接して設けられた第一係止部及び第二係止部は、下駒及び上駒の係止部として機能するとともに、下駒及び上駒の基部の撓み変形を防止する支柱として機能することができる。
【００１４】
ヒンジ部材は、弾性変形可能な材料からなり、上駒と下駒とを一体化した駒組合せ体の隙間に対して、わずかに湾曲していることが好ましい。わずかに湾曲したヒンジ部材は、上駒と下駒とを一体化した駒組合せ体の隙間に装着されたときに、上駒と下駒との嵌合ががたつくことをなくす機能をなす。
【００１５】
また、本発明は、下駒と、上駒と、前記上駒と下駒とを一体化した駒組合せ体の間に配置されるヒンジ部材と、からなる装飾品用駒であって、
前記下駒は、立ち上がり部を左右の両端に有する矩形状の板状体であり、
前記上駒は、前記下駒の前記立ち上がり部の内側に位置するように下側に突出した突出部を左右の両端に有する矩形状の板状体であり、
前記ヒンジ部材は、中央部に設けられた切欠溝、および左右の上端に設けられた上端部の少なくとも一方を有するとともに、隣接する装飾用駒同士を連結するための連結ピンが挿通される前端ピン孔および後端ピン孔が前端および後端にそれぞれ形成された板状体であり、
前記下駒に対する前記上駒の滑動を規制するために、前記下駒の前記立ち上がり部の内側面と前記上駒の前記突出部の外側面とにおいては、係止溝と該係止溝に嵌め合わされる張出し部とからなる駒係止構造が形成されており、
前記駒組合せ体に対する前記ヒンジ部材の動きを規制するために、前記下駒の上面および前記上駒の下面の少なくとも一方に設けられて前記切欠溝と係合する凸状係止部、ならびに前記上駒の前記突出部の下端の内側面に設けられて前記左右の上端部と係合する切欠部の少なくとも一方からなるヒンジ部材係止構造が形成されており、
組立てられた駒の上面は、前記上駒の上面と前記下駒の前記立ち上がり部の上面とによって構成されていることを特徴とする装飾品用駒が提供される。
【００１６】
上記構成のように、駒組合せ体を下駒及び上駒という二つの要素から構成されるようにして、係止溝と該係止溝に嵌め合わされる張出し部とからなる駒係止構造で下駒に対する上駒の滑動を規制することによって、下駒の第一係止部及び上駒の第二係止部を形成しなくてもよくなり、駒形状の簡略化及び軽量化を実現することができる。
【００１７】
また、駒組合せ体に対するヒンジ部材の動きを規制するために、前記下駒の上面および前記上駒の下面の少なくとも一方に凸状係止部を設けるか、上駒の前記突出部の下端の内側面に切欠部を設けるかという少なくとも一方のヒンジ部材係止構造を選択すればよいことから、ヒンジ部材の形状の自由度が高くなり、特に駒の小型化に有効である。
【００１８】
さらに、前記上駒は、その滑動方向と交差する方向に沿って分割された複数個の板状体要素によって構成されているようにすれば、板状体要素が組み合わされた境界部に装飾性の高い溝や段差を形成することができる。前記板状体要素を異なる色調のものとしてそれらを組み合わせることによって、デザインのバリエーションを増やすこともできる。
【００１９】
さらに、前記係止部を、前記上駒の板状体部分及び前記下駒の板状体部分に対して別体で装着される係止体によって構成すれば、バンドの表面及び裏面の両方を上面として使用することができる。そうすることで、同一のバンドでも違った色調のバンドとすることができる。上駒及び下駒と異なる色調の材質で係止体を構成し、係止体の上面が上駒及び下駒の上面に現れるように組み合わせることによって、複雑なデザインの駒とすることができる。
【００２０】
さらに、本発明は、上述した組立てられた駒の二つの前端ピン孔が、上述した組立てられた他の駒の三つの後端ピン孔に対して一列に嵌合して、一列に整列配置した前端ピン孔および後端ピン孔に連結ピンを挿通することによって隣り合う駒同士を連結し、駒の連結を繰り返すことによって所定長さのバンドとする装飾品を提供するものである。
【００２１】
また、本発明は、装飾品が時計用のバンドであり、色調や素材感の組合せによる装飾性を有し、高級感のあるものとすることができる。
【発明を実施するための最良の形態】
【００２２】
以下に、本発明の第一実施形態に係る時計用バンドの連結中間体４及び時計用バンドの駒２について、図１乃至６を参照しながら詳細に説明する。
【００２３】
図１は、本発明の第一実施形態に係る時計用バンドの下駒１０を示す図である。図２は、本発明の第一実施形態に係る時計用バンドの上駒３０を示す図である。図３は、図１の下駒１０と図２の上駒３０とを組合わせた駒組合せ体１を示す図である。図４は、本発明の第一実施形態に係る時計用バンドのヒンジ部材５０を示す図である。図５は、図３の駒組合せ体１と図４のヒンジ部材５０とを組合わせた時計用バンドの駒２を示す図である。図６は、図５の時計用バンドの駒２と図４のヒンジ部材５０とを組合わせた時計用バンドの連結中間体４を示す図である。
【００２４】
図１において、時計用バンドの駒２を構成する下駒１０は、横長の平板形状をした基部１２と、基部１２の左端部及び右端部にそれぞれ設けられた立ち上がり部１４と、基部１２の上面の中央後端側に設けられて凸状係止部の一部を構成する第一係止部２０と、を備えている。左右の立ち上がり部１４の内側には、基部１２の上面に沿って延在して上駒３０の張出部３６をガイドする係止溝１６がそれぞれ設けられている。左右の立ち上がり部１４は、それぞれ上面１８を有している。また、第一係止部２０は、後端側に第一当接面２２を有している。
【００２５】
図２において、時計用バンドの駒２を構成する上駒３０は、横長の平板形状をした基部３２と、基部３２の左端部及び右端部にそれぞれ下側に突出した突出部３４と、基部３２の下面の中央部に設けられ凸状係止部の一部を構成する第二係止部４０と、を備えている。左右の突出部３４の外側には、基部３２の下面に沿って延在して外方に突出する張出部３６がそれぞれ設けられている。左右の突出部３４の下面の内側の前端側には、上下方向に部分的に切り欠かれた矩形状の切欠部４４がそれぞれ設けられている。基部３２は、上面３８を有している。また、第二係止部４０は、後端側に第二当接面４２を有している。
【００２６】
図３は、図１の下駒１０と図２の上駒３０とが組合わされた駒組合せ体１を示している。すなわち、下駒１０の係止溝１６に対して、上駒３０の張出部３６を前端側から後端側向に向けて滑動させることによって、上駒３０の張出部３６が下駒１０の係止溝１６に嵌合しており、上駒３０の張出部３６と下駒１０の係止溝１６とによって駒係止構造が形成されている。なお、上駒３０に係止溝１６を設けるとともに、下駒１０に当該係止溝１６に嵌合する張出部３６を設けた駒係止構造とすることもできる。第二係止部４０と第一係止部２０とが、駒組合せ体１の中央部において一列に整列配置されて凸状係止部を形成している。上駒３０の第二係止部４０の第二当接面４２が下駒１０の第一係止部２０の第一当接面２２に連接することによって、上駒３０の下駒１０に対する滑動を規制している。したがって、下駒１０の第一係止部２０の第一当接面２２と上駒３０の第二係止部４０の第二当接面４２とによって、第一係止部を形成する。そして、下駒１０と上駒３０とが一体的に組合わされたときには、駒組合せ体１の前端面及び後端面が面一になっている。さらに、下駒１０と上駒３０とが組合わされた駒組合せ体１の上面は、下駒１０の上面１８と上駒３０の上面３８とによって構成されている。また、駒組合せ体１の中央部に存する凸状係止部としての第二係止部４０及び第一係止部２０は、下駒１０の基部１２及び上駒３０の基部３２の間を支える支柱としても機能する。
【００２７】
図１の下駒１０及び図２の上駒３０は、それぞれ、ステンレスやチタン等の金属材料やジルコニアや金属とセラミックスの複合体であるサーメット等のセラミックスといった様々な材料で構成することができる。表１に示すように、ジルコニアは、イットリアやセリアやマグネシア等の安定化剤を所定量含んだ焼結体であり、酸化鉄や酸化コバルト等の着色剤を含んでいる。サーメットは、炭化チタンや窒化チタン等のセラミックスとニッケルやコバルト等の金属との複合材である。下駒１０及び上駒３０は、以下のような様々なバリエーションで構成されて、異なった外観を観者に提供することができる。なお、本願におけるセラミックスとは、ジルコニア、アルミナ等のセラミック材料からなるもの、金属の炭化物や窒化物等の複合材料からなるサーメットの両者を含むものである。
【００２８】
【表１】
2008029803.tif 000003
【００２９】
【表２】
2008029803.tif 000004
【００３０】
例えば、表２の組合せ例１のように、下駒１０を銀色の炭化チタン基サーメットにするとともに、上駒３０をアルミナを添加して白色のジルコニア焼結体にして、下駒１０及び上駒３０を異なった材料から構成する。その結果、時計用バンドの駒２の上面は、左右の端部１８が銀色であり、真ん中部分３８が白色であるという装飾的美観とすることができる。
【００３１】
あるいは、表２の組合せ例２のように、下駒１０を金色の窒化チタン基サーメットにするとともに、上駒３０をアルミナを添加して白色のジルコニア焼結体にして、下駒１０及び上駒３０を異なった材料から構成する。その結果、時計用バンドの駒２の上面は、左右の端部１８が金色であり、真ん中部分３８が白色であるという装飾的美観とすることができる。
【００３２】
あるいは、表２の組合せ例３のように、上駒３０を酸化鉄及び酸化コバルトを添加して黒色に着色したジルコニア焼結体にするとともに下駒１０を銀色の炭化チタン基サーメットにして、下駒１０及び上駒３０を異なった材料から構成する。その結果、時計用バンドの駒２の上面は、左右の端部１８が銀色であり、真ん中部分３８が黒色であるという装飾的美観とすることができる。
【００３３】
あるいは、表２の組合せ例４のように、上駒３０を酸化鉄及び酸化コバルトを添加して黒色に着色したジルコニア焼結体にするとともに下駒１０を金色の窒化チタン基サーメットにして、下駒１０及び上駒３０を異なった材料から構成する。その結果、時計用バンドの駒２の上面は、左右の端部１８が金色であり、真ん中部分３８が黒色であるという装飾的美観とすることができる。
【００３４】
あるいは、表２の組合せ例５のように、上駒３０を酸化コバルト及びアルミナを添加して青色乃至淡青色に着色したジルコニア焼結体にするとともに下駒１０を銀色の炭化チタン基サーメットにして、下駒１０及び上駒３０を異なった材料から構成する。その結果、時計用バンドの駒２の上面は、左右の端部１８が銀色であり、真ん中部分３８が青色乃至淡青色であるという装飾的美観とすることができる。
【００３５】
あるいは、下駒１０及び上駒３０を表２に示した組合せ例とは、逆の組合せとすることができる。
【００３６】
さらに、下駒１０を酸化コバルトに加えてアルミナの添加量を増やして淡い青色に着色したジルコニア焼結体にするとともに、上駒３０を酸化コバルトを添加して濃い青色に着色したジルコニア焼結体にして、下駒１０及び上駒３０を同じジルコニア材料から構成する。その結果、時計用バンドの駒２の上面は、左右の端部１８が淡い青色であり、真ん中部分３８が濃い青色であるという装飾的美観とすることができる。
【００３７】
さらに、下駒１０の左半分を酸化鉄及び酸化コバルトを多量に添加して濃い黒色に着色するとともに下駒１０の右半分を酸化鉄及び酸化コバルトを少量に添加し多量のアルミナを添加して薄い黒色に着色したジルコニア焼結体にするとともに上駒３０を酸化鉄及び酸化コバルトを中程度添加して黒色に着色したジルコニア焼結体にして、下駒１０及び上駒３０を同じジルコニア焼結体から構成する。その結果、時計用バンドの駒２の上面は、左端部１８が濃い黒色であり、真ん中部分３８が黒色であり、右端部１８が淡い黒色であるという、黒色が濃淡を有して段階的に変化しているこれまでにない装飾的美観とすることができる。なお、下駒１０の左右で黒色の濃淡ができているので、下駒１０の基部１２の中央部分の境界は黒色の曖昧なものになっているが、観者が視認するのは、左右の端部１８のみであって、基部１２の中央部分の境界等のその他の部分は上駒３０によって隠されて視認不可であるので、観者に不快な印象を与えることは決してない。
【００３８】
さらに、下駒１０を銀色のステンレスにするとともに上駒３０を白色のジルコニア焼結体にして、下駒１０及び上駒３０を異なった材料から構成する。その結果、時計用バンドの駒２の上面は、左右の端部１８が銀色であり、真ん中部分３８が白色であるというこれまでにない装飾的美観とすることができる。
【００３９】
なお、上記のいずれの場合も、下駒１０及び上駒３０の各境界部分で、色がなだらかに変化しているのではなく、色が急峻に変化しているので、くっきりとした色調の好印象を観者に与える。さらに、下駒１０及び上駒３０の一部が露出してそれら自身の色を提示しているので、摩耗によって色調が変化することも起こらない。したがって、装飾的美観や高級感を長期間にわたって安定的に提供することができる。
【００４０】
図４において、時計用バンドの駒２を構成するヒンジ部材５０は、大略Ｍ字状をした基体部５２と、基体部５２の上端に設けられた上端部５４と、基体部５２の下端に設けられた下端部５８と、を備えている。上端部５４は２つの切欠部分によって３つの連通部分に分割されていて、矩形状をした連通部分のそれぞれには、前端ピン孔５６がそれぞれ形成されている。下端部５８は１つの切欠部分によって２つの連通部分に分割されていて、矩形状をした連通部分のそれぞれには、後端ピン孔６０がそれぞれ形成されている。そして、あるヒンジ部材５０の下端部５８の連通部分が、他のヒンジ部材５０の上端部５４の２つの切欠部分に嵌合するように構成されている。上端部５４の左右の連通部分の下端には、第四当接面５７が形成されていて、上駒３０の切欠部４４の第三当接面４７と係合する。したがって、上端部５４の第四当接面５７と切欠部４４の第三当接面４７とによって、第二係止部４０を形成する。下方が開口した中央切欠部６２が、基体部５２の中央部に設けられている。この中央切欠部６２は、上下方向に並列配置された第一係止部２０及び第二係止部４０からなる凸状係止部を受け入れるように構成されている。
【００４１】
ヒンジ部材５０は、弾性変形可能な材料、例えばステンレスやチタン等の金属材料や樹脂材料から構成されている。図示したヒンジ部材５０は、平面的な形状をしているが、上端部５４から下端部５８に向けて山なりにわずかに湾曲していることが好ましい。わずかに湾曲したヒンジ部材５０は、上駒３０と下駒１０とを一体化した駒組合せ体１の隙間７０に装着されたときに、上駒３０と下駒１０との嵌合ががたつくことをなくす機能をなす。
【００４２】
図５の時計用バンドの駒２では、図３の駒組合せ体１と図４のヒンジ部材５０とが組合わされている。すなわち、駒組合せ体１の隙間７０に対して、ヒンジ部材５０を前端側から後端側に向けて滑動させることによって、ヒンジ部材５０の上端部５４の左右の連通部分が駒組合せ体１の切欠部４４と嵌合して、ヒンジ部材５０が駒組合せ体１の隙間７０に着座する。このとき、ヒンジ部材５０の左右の連通部分の第四当接面５７が駒組合せ体１の切欠部４４の第三当接面４７に当接することによって、ヒンジ部材５０の駒組合せ体１に対する滑動を規制している。そして、駒組合せ体１にヒンジ部材５０が装着された時計用バンドの駒２においては、時計用バンドの駒２の前端面が境界面の目立たない面になっている。また、時計用バンドの駒２の下端では、ヒンジ部材５０の下端部５８が露出している。
【００４３】
図６の連結中間体４では、図５の時計用バンドの駒２と図４の別のヒンジ部材５０とが組合わされている。すなわち、時計用バンドの駒２に組込まれているヒンジ部材５０の下端部５８の２つの連通部分に対して、別のヒンジ部材５０の上端部５４の２つの切欠部分が嵌合している。嵌合した２つのヒンジ部材５０において、時計用バンドの駒２に組込まれているヒンジ部材５０の下端部５８と別のヒンジ部材５０の上端部５４とが一列に配置され、時計用バンドの駒２に組込まれているヒンジ部材５０の後端ピン孔６０と別のヒンジ部材５０の前端ピン孔５６とが一つの連通したピン孔５６，６０を形成している。その結果、ヒンジ部材５０は駒組合せ体１に対する滑動が完全に規制されることとなり、駒組合せ体１は、ヒンジ部材５０の第４当接面５７と別のヒンジ部材５０の上端部５４との範囲内で滑動が規制される。
【００４４】
連結ピン９を介して時計用バンドの駒２と新たなヒンジ部材５０とが連結された連結中間体４は、別の駒組合せ体１の隙間７０に装着される。すなわち、新たな駒組合せ体１の隙間７０に対して、連結中間体４の新たなヒンジ部材５０を前端側から後端側に向けて滑動させることによって、新たなヒンジ部材５０の上端部５４の左右の連通部分が新たな駒組合せ体１の切欠部４４と嵌合して、新たなヒンジ部材５０が新たな駒組合せ体１の隙間７０に着座する。このとき、新たなヒンジ部材５０の左右の連通部分の第四当接面５７が新たな駒組合せ体１の切欠部４４の第三当接面４７に当接することによって、新たなヒンジ部材５０の新たな駒組合せ体１に対する滑動を規制している。そして、新たな駒組合せ体１に新たなヒンジ部材５０が装着された駒連結体の下端では、新たなヒンジ部材５０の下端部５８が露出している。このような組み立て・連結操作を繰り返すことによって、複数の時計用バンドの駒２が連結した時計用バンドを形成することができる。
【００４５】
次に、本発明の第二実施形態に係る時計用バンドの連結中間体４及び時計用バンドの駒２について、図７乃至９を参照しながら詳細に説明するが、上述した第一実施形態との相違点を中心に説明する。すなわち、本発明の第二実施形態は、凸状係止部７５が下駒１０に設けられたタイプのものである。
【００４６】
図７は、本発明の第二実施形態に係る時計用バンドの下駒１０を示す図である。（Ａ）は上面図であり、（Ｂ）は正面図であり、（Ｃ）は側面図である。図８は、本発明の第二実施形態に係る時計用バンドの上駒３０を示す図である。（Ａ）は上面図であり、（Ｂ）は正面図であり、（Ｃ）は側面図である。図９は、図７の下駒１０と図８の上駒３０とを組合わせた駒組合せ体１を示す図である。（Ａ）は上面図であり、（Ｂ）は正面図であり、（Ｃ）は側面図である。
【００４７】
図７において、時計用バンドの駒２を構成する下駒１０は、横長の板状体をした基部１２と、基部１２の左端部及び右端部にそれぞれ設けられた立ち上がり部１４と、基部１２の上面の中央後端側に設けられた凸状係止部７５と、を備えている。左右の立ち上がり部１４の内側には、基部１２の上面に沿って延在して上駒３０の張出部３６をガイドする係止溝１６がそれぞれ設けられている。左右の立ち上がり部１４は、それぞれ上面１８を有している。また、凸状係止部７５は、前端側に第六当接面７６を有している。
【００４８】
図８において、時計用バンドの駒２を構成する上駒３０は、横長の板状体をした基部３２と、基部３２の左端部及び右端部にそれぞれ下側に突出した突出部３４と、を備えている。左右の突出部３４の外側には、突出部３４の外側側面に沿って延在する張出部３６が設けられている。左右の突出部３４の下面の内側の前端側には、前端側から後端側の方向（滑動方向）に部分的に切り欠かれた矩形状の切欠部４４がそれぞれ設けられている。基部３２は、上面３８を有している。
【００４９】
図９は、図７の下駒１０と図８の上駒３０とが組合わされた駒組合せ体１を示している。すなわち、下駒１０の係止溝１６に対して、上駒３０の張出部３６を前端側から後端側向に向けて滑動させることによって、上駒３０が下駒１０と嵌合する。上駒３０の張出部３６が下駒１０の係止溝１６に嵌合することによって、上駒３０の下駒１０に対する滑動を規制している。また、駒組合せ体１の中央部に存する凸状係止部７５は、下駒１０の基部１２及び上駒３０の基部３２の間を支える支柱としても機能する。そして、下駒１０と上駒３０とが一体的に組合わされたときには、駒組合せ体１の前端面及び後端面が面一になっている。さらに、下駒１０と上駒３０とが組合わされた駒組合せ体１の上面は、下駒１０の上面１８と上駒３０の上面３８とによって構成されている。
【００５０】
当該第二実施形態のように、下駒１０及び上駒３０に係止溝１６及び張出部３６をそれぞれ設けて、係止溝１６に張出部３６を嵌合させることによって上駒３０の下駒１０に対する滑動を規制する駒係止構造では、下駒１０に設けられた凸状係止部７５によって、ヒンジ部材５０の滑動を規制することができる。そして、凸状係止部７５の寸法を大きくすることができるために駒の機械的強度が大きくなり、特にセラミックからなる駒を製造するときに、駒を焼成するときの変形が小さくなるという利点もある。
【００５１】
次に、本発明の第三実施形態に係る時計用バンドの連結中間体４及び時計用バンドの駒２について、図１０乃至１２を参照しながら詳細に説明するが、上述した第一実施形態との相違点を中心に説明する。すなわち、本発明の第三実施形態は、凸状係止部７５が上駒３０に設けられたタイプのものである。
【００５２】
図１０は、本発明の第三実施形態に係る時計用バンドの下駒１０を示す図である。（Ａ）は上面図であり、（Ｂ）は正面図であり、（Ｃ）は側面図である。図１１は、本発明の第三実施形態に係る時計用バンドの上駒３０を示す図である。（Ａ）は上面図であり、（Ｂ）は正面図であり、（Ｃ）は側面図である。図１２は、図１０の下駒１０と図１１の上駒３０とを組合わせた駒組合せ体１を示す図である。（Ａ）は上面図であり、（Ｂ）は正面図であり、（Ｃ）は側面図である。
【００５３】
図１０において、時計用バンドの駒２を構成する下駒１０は、横長の板状体をした基部１２と、基部１２の左端部及び右端部にそれぞれ設けられた立ち上がり部１４と、を備えている。左右の立ち上がり部１４の内側には、基部１２の上面に沿って延在して上駒３０の張出部３６をガイドする係止溝１６がそれぞれ設けられている。左右の立ち上がり部１４は、それぞれ上面１８を有している。
【００５４】
図１１において、時計用バンドの駒２を構成する上駒３０は、横長の板状体をした基部３２と、基部３２の左端部及び右端部にそれぞれ下側に突出した突出部３４と、基部３２の下面の中央後端側に設けられた凸状係止部７５と、を備えている。左右の突出部３４の外側には、突出部３４の外側側面に沿って延在する張出部３６が設けられている。左右の突出部３４の下面の内側の前端側には、前端側から後端側の方向（滑動方向）に部分的に切り欠かれた矩形状の切欠部４４がそれぞれ設けられている。基部３２は、上面３８を有している。また、凸状係止部７５は、前端側に第六当接面７６を有している。
【００５５】
図１２は、図１０の下駒１０と図１１の上駒３０とが組合わされた駒組合せ体１を示している。すなわち、下駒１０の係止溝１６に対して、上駒３０の張出部３６を前端側から後端側向に向けて滑動させることによって、上駒３０が下駒１０と嵌合する。上駒３０の張出部３６が下駒１０の係止溝１６に嵌合することによって、上駒３０の下駒１０に対する滑動を規制している。また、駒組合せ体１の中央部に存する凸状係止部７５は、下駒１０の基部１２及び上駒３０の基部３２の間を支える支柱としても機能する。そして、下駒１０と上駒３０とが一体的に組合わされたときには、駒組合せ体１の前端面及び後端面が面一になっている。さらに、下駒１０と上駒３０とが組合わされた駒組合せ体１の上面は、下駒１０の上面１８と上駒３０の上面３８とによって構成されている。
【００５６】
当該第三実施形態のように、下駒１０及び上駒３０に係止溝１６及び張出部３６をそれぞれ設けて、係止溝１６に張出部３６を嵌合させることによって上駒３０の下駒１０に対する滑動を規制する駒係止構造では、上駒３０に設けられた凸状係止部７５によって、ヒンジ部材５０の滑動を規制することができる。そして、凸状係止部７５の寸法を大きくすることができるために駒の機械的強度が大きくなり、特にセラミックからなる駒を製造するときに、駒を焼成するときの変形が小さくなるという利点もある。
【００５７】
次に、本発明の第四実施形態に係る時計用バンドの連結中間体４及び時計用バンドの駒２について、図１３乃至１５及び図２６乃至２８を参照しながら詳細に説明するが、上述した第二実施形態との相違点を中心に説明する。すなわち、本発明の第四実施形態は、上駒３０においてヒンジ部材５０を係止するための切欠部４４を有しないタイプのものである。
【００５８】
図１３は、本発明の第四実施形態に係る時計用バンドの下駒１０を示す図である。（Ａ）は上面図であり、（Ｂ）は正面図であり、（Ｃ）は側面図である。図１４は、本発明の第四実施形態に係る時計用バンドの上駒３０を示す図である。（Ａ）は上面図であり、（Ｂ）は正面図であり、（Ｃ）は側面図である。図１５は、図１３の下駒１０と図１４の上駒３０とを組合わせた駒組合せ体１を示す図である。（Ａ）は上面図であり、（Ｂ）は正面図であり、（Ｃ）は側面図である。図２６は、本発明の第四実施形態に係る時計用バンドに使用されるヒンジ部材５０を示す図である。（Ａ）は上面図であり、（Ｂ）は側面図である。図２７は、図１５の駒組合せ体１と図２６のヒンジ部材５０とを組合わせた時計用バンドの駒２を示す図である。（Ａ）は上面図であり、（Ｂ）は側面図である。図２８は、図２７の時計用バンドの駒２と図２６のヒンジ部材５０とを組合わせた連結中間体４（時計用バンドの一部分を構成）を示す図である。（Ａ）は上面図であり、（Ｂ）は側面図である。
【００５９】
図１３において、時計用バンドの駒２を構成する下駒１０は、横長の板状体をした基部１２と、基部１２の左端部及び右端部にそれぞれ設けられた立ち上がり部１４と、基部１２の上面の中央後端側に設けられた凸状係止部７５と、を備えている。左右の立ち上がり部１４の内側には、基部１２の上面に沿って延在して上駒３０の張出部３６をガイドする係止溝１６がそれぞれ設けられている。左右の立ち上がり部１４は、それぞれ上面１８を有している。また、凸状係止部７５は、前端側に第六当接面７６を有している。
【００６０】
図１４において、時計用バンドの駒２を構成する上駒３０は、横長の板状体をした基部３２と、基部３２の左端部及び右端部にそれぞれ下側に突出した突出部３４と、を備えている。左右の突出部３４の外側には、突出部３４の外側側面に沿って延在する張出部３６が設けられている。基部３２は、上面３８を有している。
【００６１】
図１５は、図１３の下駒１０と図１４の上駒３０とが組合わされた駒組合せ体１を示している。すなわち、下駒１０の係止溝１６に対して、上駒３０の張出部３６を前端側から後端側向に向けて滑動させることによって、上駒３０が下駒１０と嵌合する。上駒３０の張出部３６が下駒１０の係止溝１６に嵌合することによって、上駒３０の下駒１０に対する滑動を規制している。また、駒組合せ体１の中央部に存する凸状係止部７５は、下駒１０の基部１２及び上駒３０の基部３２の間を支える支柱としても機能する。そして、この例では、下駒１０と上駒３０とが一体的に組合わされたときには、駒組合せ体１の前端面及び後端面が面一になっている。さらに、下駒１０と上駒３０とが組合わされた駒組合せ体１の上面は、下駒１０の上面１８と上駒３０の上面３８とによって構成されている。
【００６２】
図２６において、時計用バンドの駒２を構成するヒンジ部材５０は、大略Ｍ字状をした基体部５２と、基体部５２の上端に設けられた上端部５４と、基体部５２の下端に設けられた下端部５８と、を備えている。上端部５４は２つの切欠部分によって３つの連通部分に分割されていて、矩形状をした連通部分のそれぞれには、前端ピン孔５６がそれぞれ形成されている。下端部５８は１つの切欠部分によって２つの連通部分に分割されていて、矩形状をした連通部分のそれぞれには、後端ピン孔６０がそれぞれ形成されている。そして、あるヒンジ部材５０の下端部５８の連通部分が、他のヒンジ部材５０の上端部５４の２つの切欠部分に嵌合するように構成されている。下方が開口した中央切欠部６２が、基体部５２の中央部に設けられている。この中央切欠部６２が凸状係止部７５を受け入れて、中央切欠部６２の第五当接面６６と凸状係止部７５の第六当接面７６とが当接するように構成されている。したがって、中央切欠部６２に凸状係止部７５が嵌合することによって、ヒンジ部材係止構造を形成している。
【００６３】
図２７の時計用バンドの駒２では、図１５の駒組合せ体１と図２６のヒンジ部材５０とが組合わされている。すなわち、駒組合せ体１の隙間７０に対して、ヒンジ部材５０を前端側から後端側に向けて滑動させることによって、ヒンジ部材５０の中央切欠部６２が駒組合せ体１の凸状係止部７５と嵌合して、ヒンジ部材５０が駒組合せ体１の隙間７０に着座する。このとき、ヒンジ部材５０の中央切欠部６２の第五当接面６６が駒組合せ体１の凸状係止部７５の第六当接面７６に当接することによって、ヒンジ部材５０の駒組合せ体１に対する滑動を規制している。そして、駒組合せ体１にヒンジ部材５０が装着された時計用バンドの駒２においては、時計用バンドの駒２の前端面が境界面の目立たない面になっている。また、時計用バンドの駒２の下端では、ヒンジ部材５０の下端部５８が露出している。
【００６４】
図２８の連結中間体４では、図２７の時計用バンドの駒２と図２６の別のヒンジ部材５０とが組合わされている。すなわち、時計用バンドの駒２に組込まれているヒンジ部材５０の下端部５８の２つの連通部分に対して、別のヒンジ部材５０の上端部５４の２つの切欠部分が嵌合している。嵌合した２つのヒンジ部材５０において、時計用バンドの駒２に組込まれているヒンジ部材５０の下端部５８と別のヒンジ部材５０の上端部５４とが一列に配置され、時計用バンドの駒２に組込まれているヒンジ部材５０の後端ピン孔６０と別のヒンジ部材５０の前端ピン孔５６とが一つの連通したピン孔５６，６０を形成している。その結果、ヒンジ部材５０は駒組合せ体１に対する滑動が完全に規制されることとなる。
【００６５】
連結ピン９を介して時計用バンドの駒２と新たなヒンジ部材５０とが連結された連結中間体４は、別の駒組合せ体１の隙間７０に装着される。すなわち、新たな駒組合せ体１の隙間７０に対して、連結中間体４の新たなヒンジ部材５０を前端側から後端側に向けて滑動させることによって、新たなヒンジ部材５０の中央切欠部６２が新たな駒組合せ体１の凸状係止部７５と嵌合して、新たなヒンジ部材５０が新たな駒組合せ体１の隙間７０に着座する。このとき、新たなヒンジ部材５０の中央切欠部６２の第五当接面６６が新たな駒組合せ体１の凸状係止部７５の第六当接面７６に当接することによって、新たなヒンジ部材５０の新たな駒組合せ体１に対する滑動を規制している。そして、新たな駒組合せ体１に新たなヒンジ部材５０が装着された駒連結体の下端では、新たなヒンジ部材５０の下端部５８が露出している。このような組み立て・連結操作を繰り返すことによって、複数の時計用バンドの駒２が連結した時計用バンドを形成することができる。
【００６６】
当該第四実施形態のように、下駒１０及び上駒３０に係止溝１６及び張出部３６をそれぞれ設けて、係止溝１６に張出部３６を嵌合させることによって上駒３０の下駒１０に対する滑動を規制する駒係止構造では、下駒１０に設けられた凸状係止部７５によって、ヒンジ部材５０の滑動を規制することができる。なお、当該第四実施形態では凸状係止部７５が下駒１０に設けられているが、凸状係止部７５は、下駒１０及び／又は上駒３０に設けることができる。凸状係止部７５を用いたこのようなヒンジ部材係止構造を用いると、上駒３０の前端側に切欠部４４を設ける必要がなくなる。したがって、上駒３０は簡単な形状となり、特にセラミックからなる駒を成形するときに切欠部４４近傍の変形やクラックの発生を防止することができる。
【００６７】
次に、本発明の第五実施形態に係る時計用バンドの連結中間体４及び時計用バンドの駒２について、図１６乃至１８を参照しながら詳細に説明するが、上述した第二実施形態との相違点を中心に説明する。すなわち、本発明の第五実施形態は、凸状係止部７５が下駒１０及び上駒３０のいずれにも設けられていないタイプのものである。
【００６８】
図１６は、本発明の第五実施形態に係る時計用バンドの下駒１０を示す図である。（Ａ）は上面図であり、（Ｂ）は正面図であり、（Ｃ）は側面図である。図１７は、本発明の第五実施形態に係る時計用バンドの上駒３０を示す図である。（Ａ）は上面図であり、（Ｂ）は正面図であり、（Ｃ）は側面図である。図１８は、図１６の下駒１０と図１７の上駒３０とを組合わせた駒組合せ体１を示す図である。（Ａ）は上面図であり、（Ｂ）は正面図であり、（Ｃ）は側面図である。
【００６９】
図１６において、時計用バンドの駒２を構成する下駒１０は、横長の板状体をした基部１２と、基部１２の左端部及び右端部にそれぞれ設けられた立ち上がり部１４と、を備えている。左右の立ち上がり部１４の内側には、基部１２の上面に沿って延在して上駒３０の張出部３６をガイドする係止溝１６がそれぞれ設けられている。左右の立ち上がり部１４は、それぞれ上面１８を有している。
【００７０】
図１７において、時計用バンドの駒２を構成する上駒３０は、横長の板状体をした基部３２と、基部３２の左端部及び右端部にそれぞれ下側に突出した突出部３４と、を備えている。左右の突出部３４の外側には、突出部３４の外側側面に沿って延在する張出部３６が設けられている。左右の突出部３４の下面の内側の前端側には、前端側から後端側の方向（滑動方向）に部分的に切り欠かれた矩形状の切欠部４４がそれぞれ設けられている。基部３２は、上面３８を有している。
【００７１】
図１８は、図１６の下駒１０と図１７の上駒３０とが組合わされた駒組合せ体１を示している。すなわち、下駒１０の係止溝１６に対して、上駒３０の張出部３６を前端側から後端側向に向けて滑動させることによって、上駒３０が下駒１０と嵌合する。上駒３０の張出部３６が下駒１０の係止溝１６に嵌合することによって、上駒３０の下駒１０に対する滑動を規制している。そして、この例では、下駒１０と上駒３０とが一体的に組合わされたときには、駒組合せ体１の前端面及び後端面が面一になっている。さらに、下駒１０と上駒３０とが組合わされた駒組合せ体１の上面は、下駒１０の上面１８と上駒３０の上面３８とによって構成されている。
【００７２】
当該第五実施形態のように、下駒１０及び上駒３０に係止溝１６及び張出部３６をそれぞれ設けて、係止溝１６に張出部３６を嵌合させることによって上駒３０の下駒１０に対する滑動を規制する駒係止構造では、上駒３０に設けられた切欠部４４によって、ヒンジ部材５０の滑動を規制することができる。このようなヒンジ部材係止構造を用いると、凸状係止部７５を設ける必要がなくなり、駒組合せ体１の隙間７０が広がり、ヒンジ部材５０の形状の自由度が大きくなるとともに駒の軽量化に寄与する。
【００７３】
次に、本発明の第六実施形態に係る時計用バンドの連結中間体４及び時計用バンドの駒２について、図１９乃至２１を参照しながら詳細に説明するが、上述した第三実施形態との相違点を中心に説明する。すなわち、本発明の第六実施形態は、上駒３０がその滑動方向と交差する方向に沿って分割された複数個の板状体要素３０ａ，３０ｂ，３０ｃによって構成されたタイプのものである。
【００７４】
図１９−１は、本発明の第六実施形態に係る時計用バンドの上駒３０の第一板状体要素３０ａを示す図である。（Ａ）は上面図であり、（Ｂ）は正面図であり、（Ｃ）は側面図である。図１９−２は、本発明の第六実施形態に係る時計用バンドの上駒３０の第二板状体要素３０ｂを示す図である。（Ａ）は上面図であり、（Ｂ）は正面図であり、（Ｃ）は側面図である。図１９−３は、本発明の第六実施形態に係る時計用バンドの上駒３０の第三板状体要素３０ｃを示す図である。（Ａ）は上面図であり、（Ｂ）は正面図であり、（Ｃ）は側面図である。図２０は、本発明の第六実施形態に係る時計用バンドの下駒１０を示す図である。（Ａ）は上面図であり、（Ｂ）は正面図であり、（Ｃ）は側面図である。図２１は、図１９−１の第一板状体要素３０ａと図１９−２の第二板状体要素３０ｂと図１９−３の第三板状体要素３０ｃと図２０の下駒１０とを組合わせた駒組合せ体１を示す図である。（Ａ）は上面図であり、（Ｂ）は正面図であり、（Ｃ）は側面図である。
【００７５】
図１９−１、図１９−２及び図１９−３において、時計用バンドの駒２を構成する上駒３０は、第一板状体要素３０ａと、第二板状体要素３０ｂと、第三板状体要素３０ｃとから構成されている。第一板状体要素３０ａと、第二板状体要素３０ｂと、第三板状体要素３０ｃは、それぞれ、横長の板状体をした基部３２と、基部３２の左端部及び右端部にそれぞれ下側に突出した突出部３４と、を備えている。各板状体要素３０ａ，３０ｂ，３０ｃの左右の突出部３４の外側には、それぞれ、基部３２の下面に沿って延在する第一張出部３６ａ，第二張出部３６ｂ，第三張出部３６ｃが設けられている。第一板状体要素３０ａは、下駒１０に組み合わされたとき下駒１０の後端側に配置される。第一板状体要素３０ａの第一張出部３６ａは、下駒１０に組み合わされたとき第一板状体要素３０ａの後端面が下駒１０の後端面と面一になるようにその長さが調整されている。第二板状体要素３０ｂは、下駒１０に組み合わされたとき下駒１０の中央部に配置される。第三板状体要素３０ｃは、下駒１０に組み合わされたとき下駒１０の前端側に配置される。第三板状体要素３０ｃの第三張出部３６ｃは、下駒１０に組み合わされたとき第三板状体要素３０ｃの前端面が下駒１０の前端面と面一になるようにその長さが調整されている。第三板状体要素３０ｃの左右の突出部３４の下面の内側の前端側には、下駒１０に組み合わされたときに現れる、前端側から後端側の方向に部分的に切り欠かれた矩形状の切欠部４４がそれぞれ設けられている。切欠部４４は、後端側に第三当接面４７を有している。基部３２は、上面３８を有している。
【００７６】
図２０において、時計用バンドの駒２を構成する下駒１０は、横長の板状体をした基部１２と、基部１２の左端部及び右端部にそれぞれ設けられた立ち上がり部１４と、基部１２の上面の中央後端側に設けられた凸状係止部７５と、を備えている。左右の立ち上がり部１４の内側には、基部１２の上面に沿って延在して上駒３０の張出部３６をガイドする係止溝１６がそれぞれ設けられている。係止溝１６は、前述した第一張出部３６ａ，第二張出部３６ｂ，第三張出部３６ｃにそれぞれ対応する、第一係止溝１６ａ，第二係止溝１６ｂ，第三係止溝１６ｃから構成されている。左右の立ち上がり部１４は、それぞれ上面１８を有している。また、凸状係止部７５は、前端側に第六当接面７６を有している。
【００７７】
図２１は、図１９−１の第一板状体要素３０ａと図１９−２の第二板状体要素３０ｂと図１９−３の第三板状体要素３０ｃと、図２０の下駒１０とが組合わされた駒組合せ体１を示している。すなわち、下駒１０の係止溝１６に対して、第一板状体要素３０ａ，第二板状体要素３０ｂ，第三板状体要素３０ｃの各張出部（第一張出部３６ａ，第二張出部３６ｂ，第三張出部３６ｃ）を前端側から後端側に向けて滑動方向に滑動させることによって、第一板状体要素３０ａ，第二板状体要素３０ｂ，第三板状体要素３０ｃが下駒１０と順次嵌合する。第一板状体要素３０ａ，第二板状体要素３０ｂ，第三板状体要素３０ｃの各張出部（第一張出部３６ａ，第二張出部３６ｂ，第三張出部３６ｃ）が下駒１０の係止溝１６（第一係止溝１６ａ，第二係止溝１６ｂ，第三係止溝１６ｃ）に嵌合することによって、第一板状体要素３０ａ，第二板状体要素３０ｂ，第三板状体要素３０ｃの下駒１０に対する滑動を規制している。また、駒組合せ体１の中央部に存する凸状係止部７５は、下駒１０の基部１２と第一板状体要素３０ａ及び第二板状体要素３０ｂの基部３２との間を支える支柱としても機能する。そして、下駒１０と、第一板状体要素３０ａ，第二板状体要素３０ｂ，第三板状体要素３０ｃとが一体的に組合わされたときには、駒組合せ体１の前端面及び後端面が面一になっている。さらに、下駒１０と、第一板状体要素３０ａ，第二板状体要素３０ｂ，第三板状体要素３０ｃとが組合わされた駒組合せ体１の上面は、下駒１０の上面１８と、第一板状体要素３０ａの第一上面３８ａ，第二板状体要素３０ｂの第二上面３８ｂ，第三板状体要素３０ｃの第三上面３８ｃとによって構成されている。
【００７８】
当該第六実施形態のように、上駒３０をその滑動方向と直交する方向に沿って三つの板状体要素３０ａ，３０ｂ，３０ｃに分割した構成とすることによって、三つの板状体要素３０ａ，３０ｂ，３０ｃが組み合わされた境界部に装飾性の高い溝や段差を形成することができる。各板状体要素３０ａ，３０ｂ，３０ｃに異なる色調のものを用いることで、様々な色調を持ったデザインを作成することができる。また、板状体要素３０ａ，３０ｂ，３０ｃは、その滑動方向と斜めに交差する方向に沿って分割することもできる。
【００７９】
次に、本発明の第七実施形態に係る時計用バンドの連結中間体４及び時計用バンドの駒２について、図２２乃至２５を参照しながら詳細に説明するが、上述した第三実施形態との相違点を中心に説明する。すなわち、本発明の第七実施形態は、上駒３０の一部分が別体の係止体８０によって構成されたタイプのものである。
【００８０】
図２２は、本発明の第七実施形態に係る時計用バンドの下駒１０を示す図である。（Ａ）は上面図であり、（Ｂ）は正面図であり、（Ｃ）は側面図である。図２３は、本発明の第七実施形態に係る時計用バンドの上駒３０を示す図である。（Ａ）は上面図であり、（Ｂ）は正面図であり、（Ｃ）は側面図である。図２４は、図２３の上駒３０に装着される係止体８０を示す図である。（Ａ）は上面図であり、（Ｂ）は正面図である。図２５は、図２２の下駒１０と図２３の上駒３０と図２４の係止体８０とを組合わせた駒組合せ体１を示す図である。（Ａ）は上面図であり、（Ｂ）は正面図であり、（Ｃ）は側面図である。
【００８１】
図２２において、時計用バンドの駒２を構成する下駒１０は、横長の板状体をした基部１２と、基部１２の左端部及び右端部にそれぞれ設けられた立ち上がり部１４と、を備えている。左右の立ち上がり部１４の内側には、基部１２の上面に沿って延在して上駒３０の張出部３６をガイドする係止溝１６がそれぞれ設けられている。左右の立ち上がり部１４は、それぞれ上面１８を有している。
【００８２】
図２３において、時計用バンドの駒２を構成する上駒３０は、横長の板状体をした基部３２と、基部３２の左端部及び右端部にそれぞれ下側に突出した突出部３４と、を備えている。左右の突出部３４の外側には、突出部３４の外側側面に沿って延在する張出部３６が設けられている。左右の突出部３４の下面の内側の前端側には、前端側から後端側の方向（滑動方向）に部分的に切り欠かれた矩形状の切欠部４４がそれぞれ設けられている。基部３２は、上面３８を有している。また、基部３２の中央部には、円錐台状の装着穴９０が形成されている。装着穴９０に対して、上駒３０とは別体の係止体８０が下面側から装着されて嵌合する。係止体８０を装着穴９０に嵌合したときに係止体８０が抜け出ることを防止するために、装着穴９０の側面は、上面側から下面側に向けて末広がりに傾斜した傾斜面９４となっている。あるいは、装着穴９０は、傾斜面９４とする代わりに、穴の上部が小径で穴の下部が大径である座グリ穴とすることもできる。
【００８３】
図２４において、上駒３０の一部を構成する係止体８０は、上駒３０の基部３２の装着穴９０に嵌合するように形成された円錐台状のヘッド部８２と、ヘッド部８２の下面側に設けられて下駒１０の基部１２に当接する脚部８５と、を備えている。ヘッド部８２は上面８８を有している。脚部８５は、前端側から後端側の方向に延在しており、後端側に少し片寄って延在している。凸状係止部として機能する脚部８５は、前端側に第六当接面８６を有している。なお、ヘッド部８２は、円錐台状の代わりに、正四角錐台や正六角錘台といった様々な角錐台状とすることもできる。
【００８４】
図２５は、図２２の下駒１０と図２３の上駒３０と図２４の係止体８０を組合わされた駒組合せ体１を示している。すなわち、下駒１０の係止溝１６に対して、係止体８０の装着された上駒３０の張出部３６を前端側から後端側向に向けて滑動させることによって、上駒３０が下駒１０と嵌合する。上駒３０の張出部３６が下駒１０の係止溝１６に嵌合することによって、上駒３０の下駒１０に対する滑動を規制している。また、駒組合せ体１の中央部に存する脚部８５は、下駒１０の基部１２及び上駒３０の基部３２の間を支える支柱としても機能する。そして、下駒１０と上駒３０とが一体的に組合わされたときには、駒組合せ体１の前端面及び後端面が面一になっている。さらに、下駒１０と上駒３０とが組合わされた駒組合せ体１の上面は、下駒１０の上面１８と上駒３０の上面３８と係止体８０の上面８８によって構成されている。
【００８５】
当該第七実施形態のように、凸状係止部としての脚部８５を有する係止体８０を上駒３０の板状の基部３２に対して別体で構成することにより、上駒３０の板状の基部１２に係止体８０が組み合わされた境界部において、装飾性の高い溝や段差を形成することができる。係止体８０に上駒３０の板状の基部３２と異なる色調のものを用いることで、様々な色調を持ったデザインを作成することができる。なお、下駒１０を表側として時計用バンドの駒２として使用できる。そして、下駒１０にも係止体８０を設けることができる。係止体８０に下駒１０の板状の基部１２と異なる色調のものを用いることで、様々な色調を持ったデザインを作成することができる。
【図面の簡単な説明】
【００８６】
【図１】本発明の第一実施形態に係る時計用バンドの下駒を示す図である。（Ａ）は上面図であり、（Ｂ）は正面図であり、（Ｃ）は側面図である。
【図２】本発明の第一実施形態に係る時計用バンドの上駒を示す図である。（Ａ）は上面図であり、（Ｂ）は正面図であり、（Ｃ）は側面図である。
【図３】図１の下駒と図２の上駒とを組合わせた駒組合せ体を示す図である。（Ａ）は上面図であり、（Ｂ）は正面図であり、（Ｃ）は側面図である。
【図４】本発明の第一実施形態に係る時計用バンドのヒンジ部材を示す図である。（Ａ）は上面図であり、（Ｂ）は側面図である。
【図５】図３の駒組合せ体と図４のヒンジ部材とを組合わせた時計用バンドの駒を示す図である。（Ａ）は上面図であり、（Ｂ）は側面図である。要部拡大図である。
【図６】図５の駒と図４のヒンジ部材とを組合わせた連結中間体（時計用バンドの一部分を構成）を示す図である。（Ａ）は上面図であり、（Ｂ）は側面図である。
【図７】本発明の第二実施形態に係る時計用バンドの下駒を示す図である。（Ａ）は上面図であり、（Ｂ）は正面図であり、（Ｃ）は側面図である。
【図８】本発明の第二実施形態に係る時計用バンドの上駒を示す図である。（Ａ）は上面図であり、（Ｂ）は正面図であり、（Ｃ）は側面図である。
【図９】図７の下駒と図８の上駒とを組合わせた駒組合せ体を示す図である。（Ａ）は上面図であり、（Ｂ）は正面図であり、（Ｃ）は側面図である。
【図１０】本発明の第三実施形態に係る時計用バンドの下駒を示す図である。（Ａ）は上面図であり、（Ｂ）は正面図であり、（Ｃ）は側面図である。
【図１１】本発明の第三実施形態に係る時計用バンドの上駒を示す図である。（Ａ）は上面図であり、（Ｂ）は正面図であり、（Ｃ）は側面図である。
【図１２】図１０の下駒と図１１の上駒とを組合わせた駒組合せ体を示す図である。（Ａ）は上面図であり、（Ｂ）は正面図であり、（Ｃ）は側面図である。
【図１３】本発明の第四実施形態に係る時計用バンドの下駒を示す図である。（Ａ）は上面図であり、（Ｂ）は正面図であり、（Ｃ）は側面図である。
【図１４】本発明の第四実施形態に係る時計用バンドの上駒を示す図である。（Ａ）は上面図であり、（Ｂ）は正面図であり、（Ｃ）は側面図である。
【図１５】図１３の下駒と図１４の上駒とを組合わせた駒組合せ体を示す図である。（Ａ）は上面図であり、（Ｂ）は正面図であり、（Ｃ）は側面図である。
【図１６】本発明の第五実施形態に係る時計用バンドの下駒を示す図である。（Ａ）は上面図であり、（Ｂ）は正面図であり、（Ｃ）は側面図である。
【図１７】本発明の第五実施形態に係る時計用バンドの上駒を示す図である。（Ａ）は上面図であり、（Ｂ）は正面図であり、（Ｃ）は側面図である。
【図１８】図１６の下駒と図１７の上駒とを組合わせた駒組合せ体を示す図である。（Ａ）は上面図であり、（Ｂ）は正面図であり、（Ｃ）は側面図である。
【図１９−１】本発明の第六実施形態に係る時計用バンドの上駒の第一板状体要素を示す図である。（Ａ）は上面図であり、（Ｂ）は正面図であり、（Ｃ）は側面図である。
【図１９−２】本発明の第六実施形態に係る時計用バンドの上駒の第二板状体要素を示す図である。（Ａ）は上面図であり、（Ｂ）は正面図であり、（Ｃ）は側面図である。
【図１９−３】本発明の第六実施形態に係る時計用バンドの上駒の第三板状体要素を示す図である。（Ａ）は上面図であり、（Ｂ）は正面図であり、（Ｃ）は側面図である。
【図２０】本発明の第六実施形態に係る時計用バンドの下駒を示す図である。（Ａ）は上面図であり、（Ｂ）は正面図であり、（Ｃ）は側面図である。
【図２１】図１９−１の第一板状体要素と図１９−２の第二板状体要素と図１９−３の第三板状体要素と図２０の下駒とを組合わせた駒組合せ体を示す図である。（Ａ）は上面図であり、（Ｂ）は正面図であり、（Ｃ）は側面図である。
【図２２】本発明の第七実施形態に係る時計用バンドの下駒を示す図である。（Ａ）は上面図であり、（Ｂ）は正面図であり、（Ｃ）は側面図である。
【図２３】本発明の第七実施形態に係る時計用バンドの上駒を示す図である。（Ａ）は上面図であり、（Ｂ）は正面図であり、（Ｃ）は側面図である。
【図２４】図２３の上駒に装着される係止体を示す図である。（Ａ）は上面図であり、（Ｂ）は正面図である。
【図２５】図２４の係止体が装着された図２３の上駒と図２２の下駒とを組合わせた駒組合せ体を示す図である。（Ａ）は上面図であり、（Ｂ）は正面図であり、（Ｃ）は側面図である。
【図２６】本発明の第四実施形態に係る時計用バンドに使用されるヒンジ部材を示す図である。（Ａ）は上面図であり、（Ｂ）は側面図である。
【図２７】図１５の駒組合せ体と図２６のヒンジ部材とを組合わせた時計用バンドの駒を示す図である。（Ａ）は上面図であり、（Ｂ）は側面図である。
【図２８】図２７の駒と図２６のヒンジ部材とを組合わせた連結中間体（時計用バンドの一部分を構成）を示す図である。（Ａ）は上面図であり、（Ｂ）は側面図である。
【符号の説明】
【００８７】
１  駒組合せ体
２  時計用バンドの駒
４  連結中間体（時計用バンドの一部を構成する）
９  連結ピン
１０  下駒
１２  基部
１４  立ち上がり部（ガイド部）
１６  係止溝（ガイド溝）
１６ａ  第一係止溝（ガイド溝）
１６ｂ  第二係止溝（ガイド溝）
１６ｃ  第三係止溝（ガイド溝）
１８  上面（端部）
２０  第一係止部（凸状係止部）
２２  第一当接面
３０  上駒
３０ａ  第一板状体要素
３０ｂ  第二板状体要素
３０ｃ  第三板状体要素
３２  基部
３４  突出部（つば部）
３６  張出部
３６ａ  第一張出部
３６ｂ  第二張出部
３６ｃ  第三張出部
３８  上面（真ん中部分）
３８ａ  第一上面
３８ｂ  第二上面
３８ｃ  第三上面
４０  第二係止部（凸状係止部）
４２  第二当接面
４４  切欠部（凹部）
４７  第三当接面
５０  ヒンジ部材
５２  基体部
５４  上端部
５６  前端ピン孔
５７  第四当接面
５８  下端部
６０  後端ピン孔
６２  中央切欠部
６６  第五当接面
７０  隙間
７５  凸状係止部
７６  第六当接面
８０  係止体（係止部）
８２  ヘッド部
８４  傾斜側面
８５  脚部（凸状係止部）
８６  第六当接面
８８  上面
９０  装着穴
９４  傾斜面
【図１】
2008029803.tif 000005
【図２】
2008029803.tif 000006
【図３】
2008029803.tif 000007
【図４】
2008029803.tif 000008
【図５】
2008029803.tif 000009
【図６】
2008029803.tif 000010
【図７】
2008029803.tif 000011
【図８】
2008029803.tif 000012
【図９】
2008029803.tif 000013
【図１０】
2008029803.tif 000014
【図１１】
2008029803.tif 000015
【図１２】
2008029803.tif 000016
【図１３】
2008029803.tif 000017
【図１４】
2008029803.tif 000018
【図１５】
2008029803.tif 000019
【図１６】
2008029803.tif 000020
【図１７】
2008029803.tif 000021
【図１８】
2008029803.tif 000022
【図１９−１】
2008029803.tif 000023
【図１９−２】
2008029803.tif 000024
【図１９−３】
2008029803.tif 000025
【図２０】
2008029803.tif 000026
【図２１】
2008029803.tif 000027
【図２２】
2008029803.tif 000028
【図２３】
2008029803.tif 000029
【図２４】
2008029803.tif 000030
【図２５】
2008029803.tif 000031
【図２６】
2008029803.tif 000032
【図２７】
2008029803.tif 000033
【図２８】
2008029803.tif 000034